(57)【要約】      （修正有）【課題】機能拡張用オプション機器の接続ケーブルによる設置性向上、省スペース化を図る電子機器への機能拡張用オプション取り付け装置およびこれを備えた画像形成装置を提供する。【解決手段】機能拡張用のオプションを取り付け可能であり装置本体と接続可能である機能拡張用オプション接続ケーブル５による画像形成装置等の電子機器への取り付け装置において、機能拡張用オプション接続ケーブル５に、機能拡張用オプション筐体７と係合し、摺動可能な環状部材８を備える。【選択図】図４
2005229024.tif 000002
【特許請求の範囲】
【請求項１】
電子機器本体に対して機能拡張用オプション接続ケーブルを用いて機能拡張用のオプション機器を取り付けるための取り付け装置において、機能拡張用オプション接続ケーブルの任意の位置に取付けられると共に機能拡張用オプション筐体によって回転可能に支持される環状部材を備えることを特徴とする電子機器への機能拡張用オプション取り付け装置。
【請求項２】
前記機能拡張用オプション機器接続ケーブルに対する環状部材の取付位置が調整可能であることを特徴とする請求項１記載の電子機器への機能拡張用オプション取り付け装置。
【請求項３】
前記機能拡張用オプション機器接続ケーブルが、電子機器本体からの引き出し長さを調整可能に構成されていることを特徴とする請求項１記載の電子機器への機能拡張用オプション取り付け装置。
【請求項４】
機能拡張用オプションが取り付け可能であり電子機器本体と接続可能な機能拡張用オプション接続ケーブルにおいて、前記機能拡張用オプション接続ケーブルの位置を規制する位置規制部材を、機能拡張用オプションの外装部に設けたことを特徴とする電子機器への機能拡張用オプション取り付け装置。
【請求項５】
前記位置規制部材が、前記機能拡張用オプションの外装部に係止されることを特徴とする請求項４記載の電子機器への機能拡張用オプション取り付け装置。
【請求項６】
前記位置規制部材が、前記機能拡張用オプション接続ケーブルの引き出し方向に対応して前記機能拡張用オプションの外装部に係止できることを特徴とする請求項４記載の電子機器への機能拡張用オプション取り付け装置。
【請求項７】
請求項１ないし３、または請求項４ないし６記載の子機器への機能拡張用オプション取り付け装置を備えることを特徴とする画像形成装置。
【発明の詳細な説明】
【技術分野】
【０００１】
本発明は、画像形成装置等の電子機器において、機能拡張用のオプション装置を取り付け可能でありかつ装置本体と接続可能である能拡張用オプション接続ケーブルによる電子機器への機能拡張用オプション取り付け装置およびこれを備えた画像形成装置に関するものである。
【背景技術】
【０００２】
画像形成装置等の電子機器における機能拡張用オプション接続ケーブルを引き出すための接続ケーブル引き出し構造は従来から知られている（例えば、特許文献１参照）。
近年の画像形成装置等の電子機器は、省スペース、多機能であるが、機能拡張用オプションは後付けされたり、装置外周（側面）に取り付けられるなど、ユーザ側の設置条件に応じて機能拡張用オプション設置位置を決めることが多くなっている。
画像形成装置外周に機能拡張用オプションを取り付けた場合、機械の設置面積が大きくなり、標準モデルが小さくてもオプション取り付けによって結果的に装置設置面積（占有面積）を大きくとらざるを得かった。また、様々なオプションが装置外周に散在するため、ユーザにまとまりのない印象を与えていた。
【特許文献１】特開平９−２２３８７６号公報
【発明の開示】
【発明が解決しようとする課題】
【０００３】
上述した特許文献１の接続ケーブル引出し構造によれば、複数の締結部品、固定金具、キャップなどが必要であり、また、接続ケーブル引出しの固定金具、キャップを取り付けると、装置からはみ出し省スペースとはいえない。また、装置設置時に複数部品を取り付けることが必要で設置性はあまり良くない。
そこで本発明の目的は、上記の問題に鑑みて、機能拡張用オプション機器の接続ケーブルによる設置性向上、省スペース化を図る電子機器への機能拡張用オプション取り付け装置およびこれを備えた画像形成装置を提供することにある。
【課題を解決するための手段】
【０００４】
上記目的を達成するために、請求項１記載の発明は、機能拡張用のオプションを取り付け可能であり装置本体と接続可能である機能拡張用オプション接続ケーブルによる画像形成装置等の電子機器への取り付け装置において、機能拡張用オプション接続ケーブルに、機能拡張用オプション筐体と係合し、摺動可能な環状部材を備えることを特徴とする電子機器への機能拡張用オプション取り付け装置を特徴とする。
また、請求項２記載の発明は、前記機能拡張用オプション機器接続ケーブルが、その長さを調整可能である請求項１記載の電子機器への機能拡張用オプション取り付け装置を特徴とする。
また、請求項３記載の発明は、前記機能拡張用オプション機器接続ケーブルが、調整された長さを保持できる請求項１記載の電子機器への機能拡張用オプション取り付け装置を特徴とする。
また、請求項４記載の発明は、画像形成装置等の電子機器で、機能拡張用オプションが取り付け可能であり装置本体と接続可能である機能拡張用オプション接続ケーブルにおいて、前記機能拡張用オプション接続ケーブルの位置を規制する位置規制部材を、機能拡張用オプションの外装部に設けた電子機器への機能拡張用オプション取り付け装置を特徴とする。
また、請求項５記載の発明は、前記位置規制部材が、前記機能拡張用オプションの外装部に係止する請求項４記載の電子機器への機能拡張用オプション取り付け装置を特徴とする。
また、請求項６記載の発明は、前記位置規制部材が、前記機能拡張用オプション接続ケーブルの向きに対応して前記機能拡張用オプションの外装部に係止できる請求項４記載の電子機器への機能拡張用オプション取り付け装置を特徴とする。
また、請求項７記載の発明は、請求項１ないし３、または請求項４ないし６記載の子機器への機能拡張用オプション取り付け装置を備える画像形成装置を特徴とする。
【発明の効果】
【０００５】
本発明によれば、機能拡張用オプション接続ケーブルに、機能拡張用オプション筐体との係合、摺動を可能にした環状部材を具備したことで、機能拡張用オプション接続ケーブル長さをユーザが使用するオプションの形態に合わせた機能拡張用オプション接続ケーブルの長さに合わせることが可能となる。
また、本発明によれば、機能拡張用オプション接続ケーブルの引き出し部の位置を規制する規制部材を、機能拡張用オプション外装部に設けていることで、接続ケーブルによって機械設置面積を拡大することがなく、機能拡張用オプション取り付け省スペースを実現することができる。
さらに、設置による機能拡張用オプション接続ケーブルに掛かるストレスを防ぐことができる。
【発明を実施するための最良の形態】
【０００６】
以下、図面を参照して、本発明の実施の形態を詳細に説明する。図１は画像形成装置の概略構成を示す模式図である。図１において、画像形成装置（複写機）１は画像読み取り部２、画像加工部３、画像形成部（プリンタ部）４から構成されている。
この画像形成装置（複写機）１は、複合機といわれる多機能化により様々なオプションが取り付き、ユーザのニーズに合わせ幅広く対応する。機能拡張用オプション（機器）は任意の組み合わせが考えられ、その設置場所も、ユーザのニーズに対応することが求められている。
図２は画像形成装置（複写機）のスキャナ部および画像形成部（プリンタ部）の外観を示す概略斜視図である。図３は画像形成装置（複写機）のスキャナ部を机等の上に設置した場合の外観を示す概略斜視図である。
画像形成装置（複写機）１の側面にソータ、大容量給紙オプション等の大型オプションが設置された場合、その他のオプション、例えば、オプションスキャナ６、キーカウンタ、カードリーダ等のオプションは機能拡張用オプション接続ケーブル５の長さを長く設定し、画像形成装置（複写機）１本体から離れた位置（机上）に設置する。
図２および図３において、接続ケーブルは符号５で示される。また、ユーザの設置条件や、使い方により、レイアウト上画像形成装置（複写機）１近傍ではなく、ある程度離れた場所に設置する方が好ましい場合も同様に接続ケーブル５を設定する。
【０００７】
図４は機能拡張用オプションの接続ケーブル引き出し部近傍の第１の実施の形態を詳細に示す概略斜視図である。図５は機能拡張用オプションの接続ケーブル引き出し部を示す図４の線Ａ−Ａの断面図である。図６は機能拡張用オプションの接続ケーブル引き出し部を図５に比して幾らか短くした図４の線Ａ−Ａの断面図である。
機能拡張用オプション（機器）６と画像形成装置（複写機）１本体を接続するための接続ケーブル５に環状部材８を付設する。接続ケーブル５を、環状部材８の穴８ａ内に挿通固定する。機能拡張用オプション（機器）６の筐体または外装部７に、ケーブル環状部と係合、摺動するための係合部（穴）９を設ける。環状部材８を係合部９内に回動自在に挿入（遊嵌）し、接続ケーブルの引き出し方向を回転方向に任意に動作させることができる。
ケーブル係合部９は接続ケーブル５の環状部材８が摺動、回動可能なように、環状部の形状に沿ったガイドレールを備えている。ガイドレールの内側は、接続ケーブル５の環状部材８が回転、摺動可能な形状とし、回転方向を規制、保持する。
接続ケーブル５に対する環状部材８の取り付け位置は任意に変更可能である。機能拡張用オプション（機器）６の設置位置と装置本体（外装部）７の距離に合わせて接続ケーブルの必要引き出し長さを決め、接続ケーブル５と環状部材８の位置を固定する。
接続ケーブル５に引張力が加えられたときにケーブル接続部に直接ストレスが掛からないようにするために、環状部材８と接続ケーブル５は、圧接等により容易に抜けないよう挿通固定する。
接続ケーブル５と環状部材８の位置を固定した後、機能拡張用オプション（機器）６に設けられた係合部９に環状部材８を挿入する。不要な接続ケーブル部分は安全性、外観性を考慮し、機能拡張用オプション（機器、例えばスキャナ）６内に収納する。
画像形成装置（複写機）１近傍に機能拡張用オプション（機器）６を設置する場合は、接続ケーブル部分を短く設定する。
【０００８】
図７は機能拡張用オプションの接続ケーブル引き出し部近傍の第２の実施の形態を詳細に示す概略斜視図である。図８は機能拡張用オプションの接続ケーブル引き出し部の方向調整を示す概略斜視図である。図９は機能拡張用オプションの接続ケーブル引き出し部の方向調整を示す概略斜視図である。
機能拡張用オプション（機器）６を、画像形成装置（複写機）１本体に対して上方側に設置した場合、機能拡張用オプション（機器）６から画像形成装置（複写機）１本体に対して下方に延ばした接続ケーブル５を接続する必要があるため、略三角柱形状の位置規制部材１０を、接続ケーブル５が下方に引き出される方向になるような向きに外装部７に設置する。
機能拡張用オプション（機器）６を、画像形成装置（複写機）１本体に対して横に設置した場合、機能拡張用オプション（機器）６から画像形成装置（複写機）１本体に対して後方に接続ケーブルを接続する必要があるため、位置規制部材１０を、接続ケーブル５が後方に引き出される方向になるような向きに外装部７に設置する。
位置規制部材１０はその両側面（接続ケーブル５が貫通する２つの面を前後面とした場合の両側面）に夫々Ｖ字状の溝１０ａ、１０ｂを備えており、上述したごとく、接続ケーブル５が下方に引き出される方向になるように設置する場合には、図８のように溝１０ａで外装部７の係止用切欠き７ａに係合させる。また、接続ケーブル５が後方（横方向）に引き出される方向になるように溝１０ｂで外装部７の係止用切欠き７ａに係合する（図９参照）。
また、仮にケーブルを上向きに引き出す場合には、位置規制部材１０を図９の姿勢とは上下を逆にして溝１０ａに切欠き７ａを係止する。或いは、２つの溝１０ａ、１０ｂが交差する頂部の角度を図示よりも大きくすることにより、図９の状態において、ケーブルを上向きとすることができる。
【０００９】
機能拡張用オプション機器６の接続ケーブルは、調整された長さを保持（ロック）できるので、機能拡張用オプション接続ケーブルの引き出し長さをユーザが使用するオプションの形態に合わせた機能拡張用オプション接続ケーブルの長さに合わせ固定することが可能となる。また、設置による機能拡張用オプション接続ケーブルにかかるストレスを防ぐことができる。
機能拡張用オプション接続ケーブルの引き出し部の位置を規制する位置規制部材は機能拡張用オプション外装部に係止するので、機能拡張用オプションの設置形態に合わせた機能拡張用オプション接続ケーブルの引き出しが可能となり、また、設置による機能拡張用オプション接続ケーブルにかかるストレスを防ぐことができる。
【図面の簡単な説明】
【００１０】
【図１】画像形成装置の概略構成を示す模式図である。
【図２】画像形成装置（複写機）のスキャナ部および画像形成部（プリンタ部）の外観を示す概略斜視図である。
【図３】画像形成装置（複写機）のスキャナ部を机等上に設置した場合の外観を示す概略斜視図である。
【図４】機能拡張用オプション（機器）の接続ケーブル引き出し部近傍の第１の実施の形態を詳細に示す概略斜視図である。
【図５】機能拡張用オプションの接続ケーブル引き出し部を示す図４の線Ａ−Ａの断面図である。
【図６】機能拡張用オプションの接続ケーブル引き出し部を図５に比して幾らか短くした図４の線Ａ−Ａの断面図である。
【図７】機能拡張用オプションの接続ケーブル引き出し部近傍の第２の実施の形態を詳細に示す概略斜視図である。
【図８】機能拡張用オプションの接続ケーブル引き出し部の方向調整を示す概略斜視図である。
【図９】機能拡張用オプションの接続ケーブル引き出し部の方向調整を示す概略斜視図である。
【符号の説明】
【００１１】
１    画像形成装置（複写機）
５    機能拡張用オプション接続ケーブル
６    機能拡張用オプション（スキャナ）
７    外装部（筐体）
８    環状部材
９    係合部
１０    位置規制部材
１０ａ  溝（位置規制部材の）
１０ｂ  溝（位置規制部材の）
【図１】
2005229024.tif 000003
【図２】
2005229024.tif 000004
【図３】
2005229024.tif 000005
【図４】
2005229024.tif 000006
【図５】
2005229024.tif 000007
【図６】
2005229024.tif 000008
【図７】
2005229024.tif 000009
【図８】
2005229024.tif 000010
【図９】
2005229024.tif 000011